(57)【要約】【課題】  障害による回線切断後に元発呼側及び元着呼側の双方から回線復旧要求呼を受け入れて回線復旧させる。【解決手段】  最先復旧要求呼認識手段７−１は、元発呼側及び元着呼側の何れの側から最先に回線復旧要求呼を送信したかを認識し、待機要求メッセージ送信手段７−２は、最先復旧要求呼認識手段７−１が元着呼側を認識すると、該元着呼側に、回線接続を一旦切断し、再度回線復旧するまでフックオン状態で待機することを要求し、元発呼側に、回線復旧までフックオフ状態で待機することを要求し、回線復旧状態確立手段７−５は、元発呼側電話機Ａの回線復旧要求呼を優先し、元発呼側電話機Ａと元着呼側電話機Ｂとの間の回線を復旧させて通信可能状態を確立する。【選択図】        図１
2005136735.tif 000002
【特許請求の範囲】
【請求項１】
発呼側の通信装置と着呼側の通信装置との間で通信を確立する交換機において、
前記発呼側が発呼したときに前記着呼側がフックオフかつ発呼可能な状態にあった場合、前記着呼側に対してフックオンするように知らせる待機要求メッセージ送信手段を有することを特徴とする交換機。
【請求項２】
発呼側の通信装置と着呼側の通信装置との間で通信を確立する交換機において、
前記発呼側通信装置及び着呼側通信装置を認識し、両者間での障害による回線切断を認識する通信切断認識手段と、
該通信切断認識手段が前記回線切断を認識し、元発呼側通信装置及び元着呼側通信装置の双方から略同時に回線復旧要求呼を受け入れると、前記元発呼側通信装置を優先し、前記元着呼側通信装置に、回線接続を一旦切断し、再度回線復旧するまでフックオン状態で待機することを要求し、前記元発呼側通信装置に、回線復旧するまでフックオフ状態で待機することを要求する、待機要求メッセージ送信手段とを備えることを特徴とする交換機。
【請求項３】
障害による回線切断後に元発呼側通信装置及び元着呼側通信装置の双方から回線復旧要求呼を受け入れて回線復旧させる交換機であって、
該元発呼側通信装置及び元着呼側通信装置の何れの側から最先に回線復旧要求呼を送信したかを認識する最先復旧要求呼認識手段と、
該最先復旧要求呼認識手段が前記元着呼側通信機装置を認識すると、該元着呼側通信装置に、回線接続を一旦切断し、再度回線復旧するまでフックオン状態で待機することを要求し、前記元発呼側通信装置に、回線復旧するまでフックオフ状態で待機することを要求する、待機要求メッセージ送信手段と、
前記元発呼側通信装置の前記回線復旧要求呼を優先し、前記元発呼側通信装置と前記元着呼側通信装置間の回線を復旧させ、通信可能状態を確立する回線復旧状態確立手段とを備えることを特徴とする交換機。
【請求項４】
障害による回線切断後に元発呼側通信装置及び元着呼側通信装置の双方から回線復旧要求呼を受け入れて回線復旧させる交換機であって、
前記元発呼側通信装置及び元着呼側通信装置の何れの側から最先に前記回線復旧要求呼を送信したかを認識する最先復旧要求呼認識手段と、
該最先復旧要求呼認識手段が前記元発呼側通信装置を認識すると、元着呼側通信装置と回線接続されているか否かを判断する元着呼側回線接続判断手段と、
該元着呼側回線接続判断手段が、元着呼側通信装置と回線接続されていないと判断すると前記元着呼側通信装置と回線接続する元着呼側回線接続手段と、
前記元着呼側回線接続判断手段が、元着呼側通信装置と回線接続されていると判断すると該元着呼側通信装置に、回線接続を一旦切断し、再度回線復旧するまでフックオン状態で待機することを要求し、前記元発呼側通信装置に、回線復旧までフックオフ状態で待機することを要求する、待機要求メッセージ送信手段と、
前記元発呼側通信装置の前記回線復旧要求呼を優先し、前記元発呼側通信装置と前記元着呼側通信装置間の回線を復旧させて通信可能状態を確立する回線復旧状態確立手段とを備えることを特徴とする交換機。
【請求項５】
請求項３又は請求項４に記載の交換機に於いて、
最先復旧要求呼認識手段は、前記元発呼側通信装置から前記回線復旧要求呼を受信する元発呼側送受信部と、前記元着呼側通信装置から前記回線復旧要求呼を受信する元着呼側送受信部とを有し、
前記待機要求メッセージ送信手段は、前記元発呼側通信装置、及び、前記元着呼側通信装置に送信する所定の音声を格納する音声記憶部を有し、
前記回線復旧状態確立手段は、前記元発呼側通信装置と前記元着呼側通信装置との接続状態を記憶する記憶部を有し、
前記最先復旧要求呼認識手段、前記待機要求メッセージ送信手段、及び、前記回線復旧状態確立手段とを制御する制御部とを含むことを特徴とする交換機。
【請求項６】
発呼側の通信装置と着呼側の通信装置との間で交換機を介して通信を確立する通信方法において、
前記交換機は、前記発呼側が発呼したときに前記着呼側がフックオフかつ発呼可能な状態にあった場合、前記発呼側に対してフックオンするように知らせる手順を有し、前記着呼側がフックオンを完了した後に前記通信を確立することを特徴とする通信方法。
【請求項７】
発呼側の通信装置と着呼側の通信装置との間で交換機を介して通信を確立する通信方法において、
前記元発呼側通信装置及び元着呼側通信装置を認識し、両者間での障害による回線切断を認識する通信切断認識手順と、
該通信切断認識手段が前記回線切断を認識し、前記元発呼側通信装置及び元着呼側通信装置の双方から略同時に回線復旧要求呼を受け入れると、前記元発呼側通信装置を優先し、前記元着呼側通信装置に、回線接続を一旦切断し、再度回線復旧するまでフックオン状態で待機することを要求し、前記元発呼側通信装置に、回線復旧までフックオフ状態で待機することを要求する、待機要求メッセージ送信手順とに基づいて制御されることを特徴とする通信方法。
【請求項８】
障害による回線切断後に元発呼側通信装置及び元着呼側通信装置の双方から回線復旧要求呼を受け入れて回線復旧させる通信方法であって、
前記元発呼側通信装置及び元着呼側通信装置の何れの側から最先に前記回線復旧要求呼を送信したかを認識する最先復旧要求呼認識手順と、
該最先復旧要求呼認識手順が前記元着呼側通信装置を認識すると、
該元着呼側通信装置に、該元着呼側通信装置との接続を一旦切断し、再度回線復旧するまで待機することを要求し、該元発呼側通信装置に、前記元着呼側通信装置との回線復旧までフックオフ状態で待機することを要求する回線切断待機要求メッセージ送信手順と、
前記元発呼側通信装置の回線復旧要求呼を優先し、前記元発呼側通信装置と前記元着呼側通信装置との間の回線を復旧させて通信可能状態を確立する回線復旧状態確立手順とに基づいて制御されることを特徴とする通信方法。
【請求項９】
障害による回線切断後に元発呼側通信装置及び元着呼側通信装置の双方から回線復旧要求呼を受け入れて回線復旧させる通信方法であって、
前記元発呼側通信装置及び元着呼側通信装置の何れの側から最先に前記回線復旧要求呼を送信したかを認識する最先復旧要求呼認識手順と、
該最先復旧要求呼認識手順が前記元発呼側通信装置を認識すると、該元着呼側通信装置と回線接続されているか否かを判断する元着呼側回線接続判断手順と、
該元着呼側回線接続判断手順が、元着呼側通信装置と回線接続されていないと判断すると前記元着呼側通信装置と回線接続する元着呼側回線接続手順と、
前記元着呼側回線接続判断手順が、元着呼側通信装置と回線接続されていると判断すると該元着呼側通信装置に、回線接続を一旦切断し、再度回線復旧するまでフックオン状態で待機することを要求し、前記元発呼側通信装置に、回線復旧までフックオフ状態で待機することを要求する、待機要求メッセージ送信手順と、
前記元発呼側通信装置の回線復旧要求呼を優先し、前記元発呼側通信装置と元着呼側通信装置との間の回線を復旧させて通信可能状態を確立する回線復旧状態確立手順とに基づいて制御されることを特徴とする通信方法。
【請求項１０】
複数個の通信装置と、該複数個の通信装置を相互に回線接続させる交換機とを有する通信システムに於いて、
前記通信装置は、回線接続処理の経過を記憶する回線接続処理記憶手段と、
該回線接続処理記憶手段から障害による回線切断を検出する障害回線切断検出手段とを備え、
前記交換機は、前記障害回線切断検出手段が回線切断を検出すると、元着呼側の通信装置を回線切断して待機状態に維持させる元着呼側待機要求手段と、元発呼側通信装置に前記元着呼側の通信装置との回線再接続を要求する回線再接続要求手段とを備えることを特徴とする通信システム。
【請求項１１】
請求項１０に記載の通信システムに於いて、
前記回線接続処理記憶手段は、前記通信装置に於ける、回線接続・切断の状態を記憶する通信装置メモリを有し、
前記障害回線切断検出手段は、回線接続中の前記発呼側通信装置の通信装置メモリの記憶内容と前記発呼側通信装置の識別番号、及び前記着呼側通信装置の通信装置メモリの記憶内容と前記着呼側通信装置の識別番号とを記憶する交換機メモリを有することを特徴とする通信システム。
【請求項１２】
請求項１０に記載の通信システムに於いて、
前記交換機は、前記元発呼側通信装置が回線復旧を求めて送信したダイヤルコールを所定の時間遅延させて前記元着呼側通信装置へ送信する回線接続遅延手段と、前記所定の時間遅延させても前記元発呼側通信装置と前記元着呼側通信装置とを回線接続出来ないと前記元発呼側通信装置との回線を切断する元発呼側切断手段とを更に有することを特徴とする通信システム。
【請求項１３】
複数個の通信装置と、該複数個の通信装置を相互に回線接続させる交換機とを有する通信システムの通信方法であって、
前記通信装置は、回線接続処理の経過を記憶する回線接続処理記憶手順に基づいて制御され、
前記交換機は、前記回線接続処理記憶手順から障害による回線切断を検出する障害回線切断検出手順と、該障害回線切断検出手順が回線障害切断を検出すると、元着呼側の通信装置を回線切断して待機状態に維持させる元着呼側待機要求手順と、元発呼側の通信装置に前記元着呼側の通信装置との回線再接続を要求する回線再接続要求手順とに基づいて制御されることを特徴とする通信システムの通信方法。
【発明の詳細な説明】
【技術分野】
【０００１】
本発明は、障害に基づく回線切断時に、円滑な回線復旧を可能とする交換機及び通信システム及び通信方法に関するものである。
【背景技術】
【０００２】
近年携帯電話などの普及拡大によってネットワーク回線の一部に無線回線が含まれる場合が多い。この無線回線を含むネットワーク回線は、従来の有線回線のみによって構成されるネットワーク回線に比較して、通話中に何らかの障害によって回線切断される確率が大きくなる。回線切断によって発生する不都合を解消するための各種技術が公開されている（例えば特許文献１）。
この技術では、回線切断中に於けるデータの保存が主目的であり、切断された回線の円滑なる復旧を主目的には含めていない。
【特許文献１】特開２００２−１０１２２８号公報
【発明の開示】
【発明が解決しようとする課題】
【０００３】
解決しようとする問題点は、回線が切断されてしまった時に、通常、送信側（発呼側）と受信側（着呼側）とが、お互いにほぼ略同時に回線復旧を試みるため、回線復旧が混乱してしまうという点である。
【課題を解決するための手段】
【０００４】
本発明では、交換機に元発呼側と元着呼側のどちらが最先に回線復旧を試みたかを認識する最先復旧要求呼認識手段を備え、該最先復旧要求呼認識手段が元発呼側を認識した場合には、元発呼側にフックオフ状態で待機させたまま、元着呼側との回線接続を実行する。又、上記最先復旧要求呼認識手段が元着呼側を認識した場合には、元着呼側に一旦フックオンさせて元発呼側を優先し、元発呼側にフックオフ状態で待機させたまま、元着呼側との回線接続を実行する。
【発明の効果】
【０００５】
本発明による交換機は、元発呼側と元着呼側のどちらが最先に回線復旧を試みたかを認識し、元発呼側が先に試みたばあいには、元発呼側にフックオフ状態で待機させたまま、元着呼側との回線接続を実行し、元着呼側が先に試みたばあいには、元着呼側に一旦フックオンさせて元発呼側を優先し、元発呼側にフックオフ状態で待機させたまま、元着呼側との回線接続を実行することによって、回線復旧時の混乱を避け、回線復旧をスムーズ且つ迅速に実行することが出来ると共に、元発呼側を優先しているため稼金間違いを防止することが出来るという効果を得る。
【発明を実施するための最良の形態】
【０００６】
交換機に元発呼側、及び、元着呼側に送信する所定の音声を格納する音声記憶部を新たに配置するのみで、他の新規構成要素の全てをコンピュータ読み取り可能なプログラムに基づくコンピュータ制御手段で構成することによって部品点数の増加を最小限度に抑え、且つ、コストアップを伴わずに実現した。
【実施例１】
【０００７】
図１は、実施例１の構成のブロック図である。
図２は、実施例１のメモリ内容説明図である。
図１に示すように、実施例１の交換機１１は、送受信部Ａ１と、送受信部Ｂ２と、回線状況識別部３と、音声記憶部４と、記憶部５と、メモリ管理部６と、制御部７とを備える。
【０００８】
図２に示すように実施例１のメモリ（記憶部５）には、図の上から順番に着呼先（着呼側）の電話機例えば電話機Ｂの電話番号を格納する領囲５−１、発呼側の電話機例えば電話機Ａの電話番号を格納する領囲５−２、領囲Ａ５−３、領囲Ｂ５−４とが設けられている。
送受信部Ｂ２は、電話機Ｂの音声を送受信し、回線を接続・切断する部分である。また、発呼側と着呼側の電話番号を記憶部５の領囲Ａ５−３が０になるまで保存する部分である。
送受信部Ａ１は、電話機Ａの音声を送受信し、回線を接続・切断する部分である。また、発呼側と着呼側の電話番号を記憶部５の領囲Ａ５−３が０になるまで保存する部分である。
【０００９】
回線状況識別部３は、送受信部Ａ１及び送受信部Ｂ２が回線を接続したか、障害により切断されてしまったかを識別し、送受信部Ａ１及び送受信部Ｂ２が回線を切断した場合には記憶部５の領囲Ｂ５−４に０を書き込み、回線が接続された場合には領囲Ｂ５−４に１を書き込む部分である。
音声記憶部４は、相手方を呼び出し中である旨のメッセージと、一旦電話を切ることを要求する旨のメッセージと、そのまま（フックオフのまま）での待機を要求するメッセージとが、記憶又は録音されているメモリ又は録音機である。
【００１０】
メモリ管理部６は、送受信部Ｂ２及び送受信部Ａ１の状態を監視し、電話機Ｂ又は電話機Ａとの回線が切断中は０を、接続中は１を、それぞれ記憶部５の領囲Ａ５−３に書き込む部分である。又、領囲Ａ５−３に０が書き込まれたときに、領囲Ａ５−３と領囲Ａ５−４の排他的論理和（ＥＯＲ）の演算を行い、演算結果が１の場合に、処理制御を実行する部分である。この処理制御については動作の項で説明する。
【００１１】
制御部７は、交換機を制御するＣＰＵ（中央演算処理装置）である。特に本実施例では障害による回線切断後に元発呼側及び元着呼側の双方から回線復旧要求を受け入れて回線復旧させる場合に於いて、通信切断認識手段７−０と、最先復旧要求呼認識手段７−１と、待機要求メッセージ送信手段７−２と、元着呼側回線接続判断手段７−３と、元着呼側回線接続手段７−４と、回線復旧状態確立手段７−５とを備える部分である。
【００１２】
通信切断認識手段７−０は、元発呼側通信装置及び元着呼側通信装置を認識し、両者間での障害による回線切断を認識する手段である。この手段は、コンピュータ読み取り可能なプログラムに基づいて、送受信部Ａ１、及び送受信部Ｂ２とを監視することによって実行されるコンピュータ制御手段である。
最先復旧要求呼認識手段７−１は、元発呼側及び元着呼側の何れの側から最先に回線復旧要求呼を送信したかを認識する手段である。この手段は、コンピュータ読み取り可能なプログラムに基づいて、送受信部Ａ１、及び送受信部Ｂ２とを監視することによって実行されるコンピュータ制御手段である。
【００１３】
待機要求メッセージ送信手段７−２は、元着呼側に、回線接続を一旦切断し、再度回線復旧するまでフックオン状態で待機することを要求し、元発呼側に、回線復旧までフックオフ状態で待機することを要求する手段である。この手段は、コンピュータ読み取り可能なプログラムに基づいて音声記憶部４に格納されているメッセージを発呼側電話機と着呼側電話機に送信するコンピュータ制御手段である。
【００１４】
元着呼側回線接続判断手段７−３は、最先復旧要求呼認識手段７−１が元発呼側を認識すると、元着呼側と回線接続されているか否かを判断する手段である。この手段は、コンピュータ読み取り可能なプログラムに基づいて、送受信部Ａ１、及び送受信部Ｂ２とを監視することによって実行されるコンピュータ制御手段である。
元着呼側回線接続手段７−４は、元着呼側回線接続判断手段７−３が、元着呼側と回線接続されていないと判断すると元着呼側と回線接続する手段である。この手段は、コンピュータ読み取り可能なプログラムに基づいて、実行されるコンピュータ制御手段である。
【００１５】
回線復旧状態確立手段７−５は、元発呼側通信装置の回線復旧要求呼を優先し、元発呼側通信装置と元着呼側通信装置との間の回線を復旧させて通信可能状態を確立する手段である。この手段は、コンピュータ読み取り可能なプログラムに基づいてメモリ管理部６が記憶部５の領囲Ａ５−３に１を格納するコンピュータ制御手段である。
電話機Ａの制御部１０Ａ、及び電話機Ｂの制御部１０Ｂは、電話機Ａ及び電話機Ｂをそれぞれ制御するＣＰＵ（中央演算処理装置）である。
電話機Ａの送信部８Ａ、及び電話機Ｂの送信部８Ｂは、利用者によってダイヤルされ、音声を送信する部分である。
電話機Ａの受信部９Ａ、及び電話機Ｂの受信部９Ｂは、交換機１１からコールと音声を受信する部分である。
【００１６】
次に実施例１の動作について説明する。
図３は、回線接続シーケンス説明図である。
（ａ）は、正常時におけるシーケンスであり、（ｂ）は、通信障害時に於けるシーケンスである。
（ａ）、（ｂ）とも、横軸に電話機Ａ、交換機１１、電話機Ｂの間での信号の送受信を表し、縦軸にその時刻を表している。
【００１７】
（ａ）より、正常時には、待機状態にあった電話機Ａが、利用者の操作によって時刻Ｔ１で発呼すると電話機Ａ（図１）から送信部８Ａ（図１）、送受信部Ａ１を介して交換機１１の制御部７（図１）へコールされる。このコールは電話機Ｂ（図１）へ転送され、少し遅れた時刻Ｔ２で交換機１１と電話機Ｂが回線接続される。
【００１８】
時刻Ｔ３で通話が開始される。時刻Ｔ４で電話機Ｂがフックオンされると電話機Ｂと交換機１１の回線は切断される。少し遅れた時刻Ｔ５で交換機１１と電話機Ａとの回線は切断され、以後電話機Ａ及び電話機Ｂは待機状態に戻る。
【００１９】
（ｂ）より、通信障害時のシーケンスについて説明する。待機状態にあった電話機Ａが、時刻ｔ１で利用者によって発呼されると、電話機Ａの制御部１０Ａ（図１）から送信部８Ａ（図１）、送受信部Ａ１を介して交換機１１の制御部７（図１）へコールされる。このコールは電話機Ｂ（図１）へ転送され、少し遅れた時刻ｔ２で交換機１１と電話機Ｂが回線接続される。時刻ｔ３で通話が開始される。
【００２０】
時刻ｔ４で通信障害により回線切断される。電話機Ａの利用者と電話機Ｂの利用者は、音声が無くなるのでこの通信障害による回線切断を容易に認識する。又、交換機１１では、制御信号（図示していない）を監視している制御部７によって異常事態の発生が容易に認識される。
通話途中で回線切断された電話機Ａの利用者と電話機Ｂの利用者は、お互いに相手方の電話番号を入力して電話機Ａの利用者が時刻ｔ５で、電話機Ｂの利用者が時刻ｔ６で回線復旧要求（ダイヤルコール）を行う。相互に発呼するので回線接続出来なくなる。ここから本実施例による交換機が本発明による制御を開始する。
【００２１】
ここでは、電話機Ａの利用者が電話機Ｂの利用者よりも少し先に回線復旧要求を行ったものとする。時刻ｔ７で交換機１１の制御部７（図１）は、音声記憶部４（図１）に格納されている相手方を呼び出し中である旨のメッセージと、そのまま（フックオフのまま）での待機を要求するメッセージとを送受信部Ａ１（図１）を介して電話機Ａへ送る。更に、音声記憶部４（図１）に格納されている、相手方を呼び出し中である旨のメッセージと、一旦電話を切ることを要求する旨のメッセージとを送受信部Ｂ２（図１）を介して電話機Ｂへ送る。
【００２２】
時刻ｔ８で電話機Ｂの利用者が電話機をフックオンすると電話機Ｂと交換機１１との回線は切断される。時刻ｔ９で交換機１１の制御部７（図１）から、送受信部Ｂ２（図１）、受信部９Ｂ（図１）を介して電話機Ｂの制御部１０Ｂ（図１）へコールされる。時刻ｔ１０で電話機Ｂの利用者が電話機をフックオフし、電話機Ａと電話機Ｂとは、回線接続され以後通話が開始される。
【００２３】
時刻ｔ１１で電話機Ｂがフックオンされると電話機Ｂと交換機１１の回線は切断される。少し遅れた時刻ｔ１２で交換機１１と電話機Ａとの回線は切断され、以後電話機Ａ及び電話機Ｂは待機状態に戻る。
以上で回線接続シーケンスの説明を終了し、次にフローチャートを用いて実施例１の動作を詳細に説明する。
【００２４】
図４は、実施例１の動作のフローチャート（その１）である。
図５は、実施例１の動作のフローチャート（その２）である。
図６は、実施例１の動作のフローチャート（その３）である。
図４、図５、図６のフローに従ってステップ順に実施例１の動作について説明する。
【００２５】
動作説明の前提条件として、電話機Ａ（図１）を発呼側とし、電話機Ｂ（図１）着呼側とする。
ステップＳ１
実施例１の動作のフローが開始される。
ステップＳ２
利用者が電話機Ａ（図１）をフックオフして着呼側の電話機Ｂ（図１）の電話番号（例えば０９０−１２２４−６５５０）を入力する。
【００２６】
ステップＳ３
交換機の送受信部Ａ１（図１）が、発呼側の電話機Ａ（図１）の電話番号（例えば０９０−３３１３−３５８５）を検出し一時保存する。
ステップＳ４
交換機の送受信部Ｂ２（図１）が、電話機Ｂ（図１）の電話番号（０９０−１２２４−６５５０）を検出し一時保存する。同時に電話機Ｂ（図１）を呼び出す。
ステップＳ５
電話機Ｂ（図１）の受信部９Ｂがコールを受信する。
【００２７】
ステップＳ６
交換機の回線状況識別部３（図１）が電話機Ａ（図１）と電話機Ｂ（図１）が回線接続されたことを認識する。
ステップＳ７
回線状況識別部３（図１）が、記憶部５の領囲Ａ５−４（図２）に１を書き込み、メモリ管理部６（図１）が、記憶部５の領囲Ａ５−３（図２）に１を書き込む。
【００２８】
ステップＳ８
電話機Ａ（図１）の利用者と電話機Ｂ（図１）の利用者との間で通話が開始される。
ステップＳ９
何らかの原因で通信障害が発生し、発呼側電話機Ａ（図１）の利用者と着呼側電話機Ｂ（図１）の利用者との間で音声信号が無くなる。
【００２９】
ステップＳ１０
交換機の制御部７（図１）の制御に基づいてメモリ管理部６（図１）は、記憶部５（図２）の領囲Ａ５−３、に０を格納する。その後、領囲Ａ５−３と領囲Ｂ５−４の排他的論理和（ＥＯＲ）の演算を行い、演算結果が１であるため、通信障害であることを認識する。このステップが通信切断認識手段７−０に該当する。
この時点から電話機Ａ（図１）の利用者と電話機Ｂ（図１）の利用者との間で、お互いに相手方の電話番号を入力して回線復旧要求を発呼するものと仮定して以下のフローを説明する。
【００３０】
ステップＳ１１
交換機の制御部７（図１）が、送受信部Ａ１（図１）と送受信部Ｂ２（図１）を監視し、何れの側から最先に回線復旧要求呼を受信したかを認識する。送受信部Ａ１（図１）を認識した場合にはステップＳ１２へ進み、送受信部Ｂ２（図１）を認識した場合にはステップＳ２３（１）へ進む。このステップが最先復旧要求呼認識手段７−１に該当する。
【００３１】
ステップＳ１２
交換機の制御部７（図１）が、送受信部Ｂ２（図１）の制御信号（図示していない）を監視し、電話機Ｂ（図１）と交換機１１（図１）とが接続されているか否かを判断する。接続されている場合にはステップＳ１３へ進み、その他の場合にはステップＳ１４へ進む。このステップが元着呼側回線接続判断手段７−３に該当する。
【００３２】
ステップＳ１３
交換機の制御部７（図１）は、音声記憶部４（図１）に格納されている相手方を呼び出し中である旨のメッセージと、そのまま（フックオフのまま）での待機を要求するメッセージとを電話機Ａへ送る。更に、音声記憶部４（図１）に格納されている相手方を呼び出し中である旨のメッセージと、一旦電話を切ることを要求する旨のメッセージとを電話機Ｂへ送ってステップＳ１２へ戻る。このステップが待機要求メッセージ送信手段７−２に該当する。
【００３３】
ステップＳ１４
ステップＳ１２からこのステップＳ１４へ進むのは、着呼側電話機Ｂ（図１）との回線が既に切断された場合、又は、未だコールしていない場合、又は、コールが未だ届いていない場合なので、制御部７（図１）は、送受信部Ｂ２（図１）を制御して電話機Ｂ（図１）をコールする。
ステップＳ１５
電話機Ｂと回線接続出来ない場合にはステップＳ１２へ戻って回線接続できるまでやり直し、回線接続すると次へ進む。
【００３４】
ステップＳ１６
元着呼側の電話機Ｂと回線が接続される。
ステップＳ１４からステップＳ１６が元着呼側回線接続手段７−３に該当する。
ステップＳ１７
メモリ管理部６（図１）は、領囲Ａ５−３（図２）に１を書き込み、回線状況識別部３（図１）が領囲Ａ５−４に１を書き込んでステップＳ１８（２）へ進む。このステップが回線復旧状態確立手段７−５に該当する。
【００３５】
ステップＳ１８
電話機Ａ（図１）の利用者と電話機Ｂ（図１）の利用者との間で通話が再開される。
ステップＳ１９
電話機Ｂ（図１）の利用者は、話が終わり電話を切る。
ステップＳ２０
交換機の回線状況識別部３（図１）は、電話機Ｂ（図１）との回線が切断されたことを認識する。
【００３６】
ステップＳ２１
交換機の回線状況識別部３（図１）は、領囲Ｂ５−４（図２）に０を書き込み、メモリ管理部（図１）は、領囲Ａ５−３（図２）に０を書き込む。
ステップＳ２２
以後電話機Ａ及び電話機Ｂは待機状態に戻る。
【００３７】
次に、ステップＳ１１からステップＳ２３へ進んだ場合について説明する。
ステップＳ２３
交換機の制御部７（図１）が、交換機の送受信部Ａ１（図１）の制御信号（図示していない）を監視し、発呼側電話機Ａ（図１）と交換機１１（図１）とが接続されているか否かを判断する。接続されている場合にはステップＳ２４へ進み、接続されていない場合にはステップＳ２５へ進む。
【００３８】
ステップＳ２４
交換機の制御部７（図１）は、音声記憶部４（図１）に格納されている相手方を呼び出し中である旨のメッセージと、そのまま（フックオフのまま）での待機を要求するメッセージとを電話機Ａへ送る。更に、音声記憶部４（図１）に格納されている相手方を呼び出し中である旨のメッセージと、一旦電話を切ることを要求する旨のメッセージとを電話機Ｂへ送りステップＳ１２へ進む。
ステップＳ２５
交換機の制御部７（図１）は、交換機の送受信部Ａ１（図１）を介して電話機Ａ（図１）をコールする。
【００３９】
ステップＳ２６
電話機Ａ（図１）と接続出来ない場合にはステップＳ１２を経て、ステップＳ１３へ進み、一旦着呼側電話機Ｂ（図１）との回線を切断した後ステップＳ１２へ戻り、ステップＳ１４〜ステップＳ１７を経て再通話（ステップＳ１８）へ進む。
電話機Ａ（図１）と接続出来た場合にはステップＳ２７へ進む。
ステップＳ２７
電話機Ｂ（図１）と回線が接続される。その後ステップＳ１７へ進み、その後再通話（ステップＳ１８）へ進む。
【００４０】
以上の説明では、電話機Ａを発呼側に、電話機Ｂを着呼側に、それぞれ限定して説明したが、これは説明の都合上の方策であって、電話機Ａを着呼側に、電話機Ｂを発呼側に変更しても全く同様の構成になることは記すまでもない。
尚、上記説明では、発呼側、及び着呼側を電話機に限定して説明したが、本発明は、この例に限定されるものではない。即ち、該当する通信装置を呼び出すための識別番号を有するものであれば本発明を適用することが可能である。
又、障害により切断された回線を復旧させる場合に限定して説明しているが、新規に通信を確立しようとした場合に、着呼側がフックオン、且つ、発呼可能な状態にある場合にも適用可能である。例えば、電話をかけた際に相手側が受話器を持ちあげて、これから電話をかけようとしている場合が該当する。
又、最先復旧要求呼認識手段、待機要求メッセージ送信手段、回線復旧状態確立手段、元着呼側回線接続判断手段、及び元着呼側回線接続手段の全てをコンピュータ読み取り可能なプログラムに基づくコンピュータ制御手段で構成した場合に限定して説明したが、本発明は、この例に限定されるものではない。即ち、上記各手段の全て、あるいは一部を専用の回路ブロックで構成しても良い。
【００４１】
以上説明したように、交換機に最先復旧要求呼認識手段、待機要求メッセージ送信手段、回線復旧状態確立手段、元着呼側回線接続判断手段、及び元着呼側回線接続手段を備えることによって、回線復旧時の混乱を避け、回線復旧をスムーズ且つ迅速に実行することが出来ると共に、元発呼側を優先しているため稼金間違いを防止することが出来るという効果を得る。
【実施例２】
【００４２】
図７は、実施例２の構成のブロック図である。
図８は、実施例２のメモリ内容説明図である。
図７に示すように、実施例２の交換機３１は、発呼側送受信部２１と、着呼側送受信部２２と、記憶部２３と、メモリ管理部２４と、制御部２５とを備える。
【００４３】
発呼側送受信部２１は、電話機Ｃの音声を送受信し、回線を接続・切断する部分である。また、発呼側と着呼側の電話番号を後記記憶部２３の領囲ＣＤ２３−３が０になるまで一時保存する部分である。
着呼側送受信部２２は、電話機Ｄの音声を送受信し、回線を接続・切断する部分である。また、発呼側と着呼側の電話番号を後記記憶部２３の領囲ＣＤ２３−３が０になるまで一時保存する部分である。
【００４４】
記憶部２３は、発呼側電話機Ｃと着呼側電話機Ｄとの間での接続状態を記憶するメモリである。図８に示すように記憶部２３には、図の上から順番に送信先（着呼側）電話機、例えば電話機Ｄの電話番号を格納する領囲２３−１、発呼側電話機、例えば電話機Ｃの電話番号を格納する領囲２３−２、領囲ＣＤ２３−３とが設けられている。ここで領囲ＣＤ２３−３には、発呼側送受信部２１又は着呼側送受信部２２のどちらかが回線断を認識している場合には０が格納されている。又、発呼側送受信部２１と着呼側送受信部２２が通信可能状態の場合には１が格納されている。
【００４５】
メモリ管理部２４は、発呼側送受信部２１、及び着呼側送受信部２２とを監視する制御部２５の制御に基づいて、記憶部２３の各領囲にそれぞれの情報（図８に示す情報）を格納する部分である。
制御部２５は、交換機３１を制御するＣＰＵ（中央演算処理装置）である。特に本実施例では元着呼側待機要求手段２５−１と回線再接続要求手段２５−２とを備える部分である。
【００４６】
元着呼側待機要求手段２５−１は、後に電話機Ｃにおいて説明する障害回線切断検出手段２９Ｃ−２が回線切断を検出すると、元着呼側の電話機を回線切断して待機状態に維持させる手段である。この手段は、コンピュータ読み取り可能なプログラムに基づいて、記憶部２３を監視することによって実行されるコンピュータ制御手段である。
【００４７】
回線再接続要求手段２５−２は、上記元着呼側待機要求手段２５−１が元着呼側の電話機を回線切断して待機状態に維持させた後、元発呼側の電話機に元着呼側の電話機との回線再接続を要求する手段である。この手段は、コンピュータ読み取り可能なプログラムに基づいて、記憶部２３を監視かることによって実行されるコンピュータ制御手段である。
【００４８】
尚、上記説明中の電話機Ｃは、回線障害切断前に発呼し、電話機Ｄと回線接続された電話機であり、請求項中に於いて元発呼側電話機と記載されている電話機である。同様に上記説明中の電話機Ｄは、回線障害切断前に発呼側電話機Ｃによる発呼を受け入れて（着呼）、発呼側電話機Ｃと回線接続された電話機であり、請求項中に於いて元着呼側電話機と記載されている電話機である。
【００４９】
電話機Ｃは、発呼側送受信部２１へコール、及び音声等を送信する送信部２５Ｃと、発呼側送受信部２１からコール、及び音声等を受信する受信部２６Ｃと、電話機Ｃと交換機３１との間での接続状態を記憶する記憶部２７Ｃと、記憶部２７Ｃに情報を格納するメモリ管理部２８Ｃと、送信部２５Ｃ、受信部２６Ｃ、記憶部２７Ｃ、及びメモリ管理部２８Ｃとを制御する制御部２９Ｃとを有する。
【００５０】
同様にして着呼側電話機Ｄは、着呼側送受信部２２へコール、及び音声等を送信する送信部２５Ｄと、着呼側送受信部２２から電話番号、及び音声等を受信する受信部２６Ｄと、電話機Ｄと交換機３１との間での接続状態を記憶する記憶部２７Ｄと、記憶部２７Ｄに情報を格納するメモリ管理部２８Ｄと、送信部２５Ｄ、受信部２６Ｄ、記憶部２７Ｄ、及びメモリ管理部２８Ｄとを制御する制御部２９Ｄとを有する。
【００５１】
上記記憶部２７Ｃ及び２７Ｄの概要について説明する。
図９は、電話機のメモリ内容説明図である。
図に示すように記憶部２７Ｃ（発呼側）と記憶部２７Ｄ（着呼側）には、図の上から順番に領囲Ｉ、領囲II、領囲IIIが設けられている。領囲Ｉには、各電話機が、回線断の場合には０が、コール中の場合には１が、通話可能の場合には２が、それぞれ格納される。
【００５２】
領囲IIには、各電話機が、切断状態の場合には０が、通話の送信側になっている場合には１が、通話の受信側になっている場合には２が、それぞれ格納される。更に、領囲IIIには、通話相手の電話番号が格納される。これらの情報の格納は、制御部２９Ｃ、２９Ｄの制御によってメモリ管理部２８Ｃ、２８Ｄが実行する。
【００５３】
制御部２９Ｃ、２９Ｄは、各電話機を制御するＣＰＵ（中央演算処理装置）である。特に本実施例では障害による回線切断後に元発呼側及び元着呼側の双方から回線復旧要求呼を受け入れて回線復旧させる場合に於いて、回線接続処理記憶手段２９Ｃ−１と、障害回線切断検出手段２９Ｃ−２とを備える部分である。
【００５４】
回線接続処理記憶手段２９Ｃ−１は、回線接続処理の経過を記憶する手段であり、この手段は、コンピュータ読み取り可能なプログラムに基づいて、メモリ管理部２８Ｃ、２８Ｄに各種情報を格納させるコンピュータ制御手段である。
障害回線切断検出手段２９Ｃ−２、回線接続処理記憶手段２９Ｃ−１から障害による回線切断を検出する手段であり、この手段は、コンピュータ読み取り可能なプログラムに基づいて、記憶部２７Ｃ、２７Ｄを監視ことによって実行されるコンピュータ制御手段である。
【００５５】
次に実施例２の動作について説明する。
図１０は、実施例２の動作のフローチャート（その１）である。
図１１は、実施例２の動作のフローチャート（その２）である。
図１２は、実施例２の動作のフローチャート（その３）である。
図１０、図１１、図１２のフローに従ってステップ順に実施例２の動作について説明する。
【００５６】
ステップＳ２８
実施例２の動作のフローが開始される。
ステップＳ２９
利用者が発呼側電話機Ｃ（図７）をフックオフして送信先（着呼側電話機Ｄ）の電話番号（番号Ｄ）を入力すると、発呼側の制御部２９Ｃ（図７）の制御に基づいて発呼側の送信部２５Ｃ（図７）が交換機３１（図７）へコールする。そのとき発呼側のメモリ管理部２８Ｃ（図７）は、発呼側の制御部２９Ｃ（図７）の制御に基づいて発呼側の記憶部２７Ｃ（図９）の領囲Ｉに１をIIに１をそれぞれ格納する。領囲Ｉへ１の格納は、コールしたためであり、領囲Ｉへ１の格納は、発呼側電話機Ｃ（図７）が通話の送信側になっているからである。更に、領囲IIIには相手方の電話番号（番号Ｄ）が格納される。
【００５７】
ステップＳ３０
交換機の発呼側送受信部２１（図７）が、コールを受信する。このとき交換機の制御部２５（図７）の制御に基づいて、このコールは、交換機の着呼側送受信部２２（図７）を経て、着呼側電話機Ｄへ転送される。更に、発呼側電話機Ｃの電話番号（番号Ｃ）と着呼側電話機Ｄの電話番号（番号Ｄ）とが交換機のメモリ管理部２４（図７）によって交換機の記憶部２３（図８）の領囲２３−１及び領囲２３−２に格納される。そのとき領囲ＣＤ２３−３には、１が格納される。
【００５８】
ステップＳ３１
着呼側の受信部２６Ｄ（図７）がコールを受信する。そのとき着呼側のメモリ管理部２８Ｄ（図７）は、着呼側の制御部２９Ｄ（図７）の制御に基づいて着呼側の記憶部２７Ｄ（図９）の領囲Ｉに１をIIに２をそれぞれ格納する。領囲Ｉへ１の格納は、コールを受信したためであり、領囲IIへ２の格納は、着呼側電話機Ｄ（図７）が通話の受信側になっているからである。更に、領囲IIIには相手方の電話番号（番号Ｃ）が格納される。
【００５９】
ステップＳ３２
利用者が着呼側電話機Ｄ（図７）をフックオフすると着呼側電話機Ｄ（図７）と交換機３１（図７）とが回線接続される。このとき、着呼側の制御部２９Ｄ（図７）の制御に基づいて着呼側のメモリ管理部２８Ｄは、着呼側の領囲Ｉ（図９）に２を格納する。領囲Ｉへ２の格納は、通話可能になったためである。
ステップＳ３３
発呼側電話機Ｃ（図７）と着呼側電話機Ｄ（図７）との回線接続が完了する。
【００６０】
ステップＳ３４
発呼側のメモリ管理部２８Ｃ（図７）は、発呼側の制御部２９Ｃ（図７）の制御に基づいて発呼側の記憶部２７Ｃ（図９）の領囲Ｉに２を格納する。領囲Ｉへ２の格納は、通話可能になったためである。
ステップＳ３５
発呼側電話機Ｃ（図７）の利用者と着呼側電話機Ｄ（図７）の利用者との間で通話が開始される。
【００６１】
ステップＳ３６
何らかの原因で、発呼側電話機Ｃ（図７）の利用者と着呼側電話機Ｄ（図７）の利用者との間で音声が無くなる。
ステップＳ３７
このとき発呼側の制御部２９Ｃ（図７）は、発呼側の記憶部２７Ｃ（図９）の領囲Ｉと領囲IIとを加算し、その値が３をこえている場合には、通信障害による回線切断であることを認識する。同様に着呼側の制御部２９Ｄ（図７）も、着呼側の記憶部２７Ｄ（図９）の領囲Ｉと領囲IIとを加算し、その値が３をこえている場合には、通信障害による回線切断であることを認識する。このステップが障害回線切断検出手段２９Ｃ−２に該当する。
【００６２】
このステップＳ３７までの間に発呼側の記憶部２７Ｃ（図９）の領囲Ｉには２が、領囲IIには１が格納されているので加算した値は、３となり発呼側の制御部２９Ｃ（図７）は通信障害による回線切断であることを認識する。同様に、着呼側の記憶部２７Ｄ（図９）の領囲Ｉには２が、領囲IIには２が格納されているので加算した値は、４となり着呼側の制御部２９Ｄ（図７）は通信障害による回線切断であることを認識する。
この時点から発呼側電話機Ｃ（図７）と着呼側電話機Ｄ（図７）との間で、異常事態の発生が認識され、お互いに相手方の電話番号を入力して回線復旧要求呼を発呼するものと仮定して以下のフローを説明する。図中（１）と（２）は、それぞれ発呼側電話機Ｃ（図７）の制御と着呼側電話機Ｄ（図７）の制御とを表している。
【００６３】
以下、発呼側電話機Ｃ（図７）の制御について説明する。
ステップＳ３８
発呼側の制御部２９Ｃ（図７）は、発呼側の記憶部２７Ｃ（図９）の領囲IIに１が格納されているので、自己が発呼側であることを認識し、発呼側の送信部２５Ｃ（図７）を制御して領囲IIIに格納されている番号Ｄをコールする。
ステップＳ３９
交換機の発呼側送受信部２１（図７）は、コールを受信する。このとき、交換機の制御部２５（図７）は、交換機の着呼側送受信部２２（図７）が、受信中で無い場合（交換機と着呼側電話機Ｄが切断状態）には、着呼側電話機Ｄ（図７）へコールを転送する。着呼側送受信部２２（図７）が、受信中（交換機と着呼側電話機Ｄが接続状態）である場合には、受信中で無くなった後転送する。その後ステップＳ４８へ進む。
【００６４】
以下、着呼側電話機Ｄ（図７）の制御について説明する。
ステップＳ４０
着呼側の電話機Ｄ（図７）は、交換機３１（図７）へコールを送信する。そのとき着呼側の制御部２９Ｄ（図７）の制御に基づいて着呼側のメモリ管理部２８Ｄ（図７）は、着呼側の記憶部２７Ｄ（図９）の領囲Ｉに１を格納する。領囲Ｉへ１の格納は、着呼側の電話機Ｄ（図７）が交換機３１（図７）へコールを送信したためである。
【００６５】
ステップＳ４１
交換機の発呼側送受信部２１（図７）が受信中であるときはステップＳ４２へ進み、受信中でないときにはステップＳ４５へ進む。
ステップＳ４２
交換機の制御部２５（図７）の制御に基づいて交換機の着呼側送受信部２２（図７）は、着呼側電話機Ｄ（図７）との回線を切断する。このステップが元着呼側待機要求手段２５−１（図７）に該当する。
【００６６】
ステップＳ４３
着呼側の制御部２９Ｄ（図７）の制御に基づいて着呼側のメモリ管理部２８Ｄ（図７）は、着呼側の記憶部２Ｄ（図９）の領囲Ｉ、及び領囲IIに０を格納する。領囲Ｉ、及び領囲IIへ０の格納は、交換機３１との回線が切断状態になったためである。
ステップＳ４４
着呼側電話機Ｄ（図７）は、待機状態になる。
【００６７】
以下、発呼側電話機Ｃ（図７）及び着呼側電話機Ｄ（図７）の制御について説明する。
ステップＳ４５
交換機の発呼側送受信部２１は、コールを発呼側電話機Ｃ（図７）へ送信する。
ステップＳ４６
発呼側電話機Ｃ（図７）と接続できたときはステップＳ４７へ進み、接続出来ないときはステップＳ４１へ進む。
【００６８】
ステップＳ４７
発呼側電話機Ｃ（図７）と交換機３１は、回線接続される。このとき発呼側の制御部２９Ｃ（図７）の制御に基づいて発呼側のメモリ管理部２８Ｃ（図７）は、発呼側の記憶部２７Ｃ（図９）の領囲Ｉに２を格納する。この領囲Ｉへ２の格納は、発呼側電話機Ｃ（図７）と交換機３１が接続状態になったためである。以下ステップＳ５１へ進んで再通話状態になる。
【００６９】
ステップＳ４８
着呼側の受信部２６Ｄ（図７）は、コールを受信し着呼側電話機Ｄ（図７）と交換機３１が接続状態になり、着呼側の制御部２９Ｄ（図７）の制御に基づいて着呼側のメモリ管理部２８Ｄ（図７）は、着呼側の記憶部２７Ｄ（図９）の領囲Ｉに２を格納する。この領囲Ｉへ２の格納は、着呼側電話機Ｄ（図７）と交換機３１が回線接続されたためである。
【００７０】
ステップＳ４９
交換機の着呼側送受信部２２（図７）は、交換機の制御部２５（図７）の制御に基づいて着呼側電話機Ｄ（図７）と回線接続し、発呼側に着呼側との接続状態を知らせる。
ステップＳ５０
発呼側の制御部２９Ｃ（図７）の制御に基づいて発呼側のメモリ管理部２８Ｃ（図７）は、発呼側の記憶部２７Ｃ（図９）の領囲Ｉに２を格納する。この領囲Ｉへ２の格納は、交換機３１と発呼側電話機Ｃが接続状態になったためである。このステップが回線再接続要求手段２５−２に該当する。
【００７１】
ステップＳ５１
発呼側電話機Ｃ（図７）と着呼側電話機Ｄ（図７）との間で通話が再開される。
ステップＳ５２
着呼側電話機Ｄ（図７）の利用者が通話を終了すると、着呼側の制御部２９Ｄ（図７）の制御に基づいて着呼側のメモリ管理部２８Ｄ（図７）は、着呼側の記憶部２７Ｄ（図９）の領囲Ｉ、領囲IIに０を格納する。この領囲Ｉ、領囲IIへ０の格納は、着呼側Ａが回線切断したためである。
【００７２】
ステップＳ５３
交換機の発呼側送受信部２１（図７）は、制御部２５（図７）の制御に基づいて発呼側電話機Ｃ（図７）との回線を切断する。また、メモリ管理部２４（図７）において、記憶部２３（図８）の領囲ＣＤ２３−３に０が格納され、領囲２３−１及び領囲２３−２に保存されている電話番号は消去される。
【００７３】
ステップＳ５４
発呼側電話機Ｃの制御部２９Ｃ（図７）の制御に基づいて発呼側のメモリ管理部２８Ｃ（図７）は、発呼側の記憶部２７Ｃ（図９）の領囲Ｉ、領囲IIに０を格納する。この領囲Ｉ、領囲IIへ０の格納は、交換機３１と発呼側電話機Ｃとの回線が切断されたためである。
ステップＳ５５
待機状態に移行して実施例２のフローを終了する。
【００７４】
以上の説明では、電話機Ｃを発呼側に、電話機Ｄを着呼側に、それぞれ限定して説明したが、これは説明の都合上の方策であって、電話機Ｃを着呼側に、電話機Ｄを発呼側に変更しても全く同様の構成になることは記すまでもない。
【００７５】
又、回線接続処理記憶手段、障害回線切断検出手段、元着呼側待機要求手段、及び回線再接続要求手段の全てをコンピュータ読み取り可能なプログラムに基づくコンピュータ制御手段で構成した場合に限定して説明したが、本発明は、この例に限定されるものではない。即ち、上記各手段の全て、あるいは一部を専用の回路ブロックで構成しても良い。
【００７６】
以上説明したように、電話機に回線接続処理記憶手段、及び障害回線切断検出手段を備え、交換機に元着呼側待機要求手段、及び回線再接続要求手段を備えることによって、回線復旧は、電話機の制御部と交換機の制御部との間で自動的に実行され操作者の手を煩わせる必要が無くなり、更に、交換機の負荷を低減することが出来るという効果を得る。
【実施例３】
【００７７】
図１３は、実施例３の構成のブロック図である。
図に示すように、実施例３の交換機４１は、発呼側送受信部２１と、着呼側送受信部２２と、記憶部２３と、メモリ管理部２４と、タイマ３１と、制御部３２とを備える。
タイマ３１は、通信障害回線切断を認識し、発呼側電話機Ｃが回線復旧を求めて送信したコールを受け入れて所定の時間遅延させて出力するタイマである。
【００７８】
制御部３２は、交換機４１を制御するＣＰＵ（中央演算処理装置）である。特に本実施例では回線接続遅延手段３２−１と元発呼側切断手段３２−２とを備える部分である。
回線接続遅延手段３２−１は、タイマ３１に所定の遅延時間を設定し、発呼側電話機Ｃが回線復旧を求めて送信したコールを所定の時間遅延させて着呼側電話機Ｄへ送信する手段である。この手段は、コンピュータ読み取り可能なプログラムに基づいて、タイマ３１に所定の遅延時間を設定することによって実行されるコンピュータ制御手段である。
【００７９】
元発呼側切断手段３２−２は、回線復旧を求めて送信したコールが、回線接続遅延手段３２−１によって所定の時間遅延させられても、尚且つ、元着呼側電話機Ｄが受信中（交換機４１と回線接続中）の場合には、元発呼側電話機Ｃと回線切断する手段である。この手段は、コンピュータ読み取り可能なプログラムに基づいて、タイマ３１に所定の遅延時間を設定することによって実行されるコンピュータ制御手段である。
その他の構成要素は、実施例２と全く同様なので説明を省略する。
【００８０】
次に実施例３の動作について説明する。
本実施例の動作は、実施例２の動作と発呼側電話機Ｃの制御が異なるのみであって他の部分は実施例２の制御と全く同様なので、発呼側電話機Ｃ（図７）の制御のみについて説明する。
図１４は、実施例３の動作のフローチャートである。
図１４のフローに従ってステップ順に実施例３の動作について説明する。
以下、発呼側電話機Ｃ（図７、１３）の制御について説明する。
【００８１】
ステップＳ３８
発呼側の制御部２９Ｃ（図１３）は、発呼側の記憶部２７Ｃ（図９）の領囲IIに１が格納されているので、自己が発呼側であることを認識し、発呼側の送信部２５Ｃ（図１３）を制御して領囲IIIに格納されている番号Ｄをコールする。
ステップＳ３９−１
交換機の発呼側送受信部２１は、コールを受信する。
【００８２】
ステップＳ３９−２
交換機の制御部３２は、タイマ３１を所定の時間に設定する。
ステップＳ３９−３
交換機の着呼側送受信部２２が受信中（交換機４１と回線接続中）である場合にはステップＳ３９−４へ進み、受信中でない場合には、ステップＳ３９−６へ進む。
【００８３】
ステップＳ３９−４
交換機の制御部３２は、タイマ３１がタイムアウトしたかどうかをチェックし、タイムアウトしていない場合にはステップＳ３９−３へ戻り、タイムアウトしている場合には、ステップＳ３９−５へ進む。ステップＳ３９−２〜ステップＳ３９−４が回線接続遅延手段に該当する。
ステップＳ３９−５
交換機の発呼側送受信部２１を制御して発呼側電話機Ｃとの回線を切断する。以後ステップＳ５４（図１２）へ進んで待機状態に入る。このステップＳ３９−５が、元発呼側切断手段に該当する。
【００８４】
ステップＳ３９−６
交換機の制御部３２の制御に基づいて交換機の着呼側送受信部２２は、着呼側電話機Ｄへコールを送信してステップＳ４８へ進む。このときタイマ３１がセットされていれば交換機の制御部３２は、タイマ３１をリセットする。
【００８５】
以上の説明では、電話機Ｃを発呼側に、電話機Ｄを着呼側に、それぞれ限定して説明したが、これは説明の都合上の方策であって、電話機Ｃを着呼側に、電話機Ｄを発呼側に変更しても全く同様の構成になることは記すまでもない。
【００８６】
又、回線接続遅延手段及び元発呼側切断手段の全てをコンピュータ読み取り可能なプログラムに基づくコンピュータ制御手段で構成した場合に限定して説明したが、本発明は、この例に限定されるものではない。即ち、上記各手段の全て、あるいは一部を専用の回路ブロックで構成しても良い。
【００８７】
以上説明したように、交換機に回線接続遅延手段及び元発呼側切断手段を備え、障害切断後の元発呼側の優先時間をタイマで制御することが出来るようになり、なかなか元発呼側と回線接続出来ない場合に、元発呼側は発呼を中断するかどうかの判断に戸惑うことなく、タイムアウトにより自動的に発呼が中断され、通常の状態に戻ることが出来るという効果を得る。
【産業上の利用可能性】
【００８８】
本発明は、電話番号を持ち、オンラインで行う通信機器やファクシミリ通信にも適用可能である。
【図面の簡単な説明】
【００８９】
【図１】実施例１の構成のブロック図である。
【図２】実施例１のメモリ内容説明図である。
【図３】回線接続シーケンス説明図である。
【図４】実施例１の動作のフローチャート（その１）である。
【図５】実施例１の動作のフローチャート（その２）である。
【図６】実施例１の動作のフローチャート（その３）である。
【図７】実施例２の構成のブロック図である。
【図８】実施例２のメモリ内容説明図である。
【図９】電話機のメモリ内容説明図である。
【図１０】実施例２の動作のフローチャート（その１）である。
【図１１】実施例２の動作のフローチャート（その２）である。
【図１２】実施例２の動作のフローチャート（その３）である。
【図１３】実施例３の構成のブロック図である。
【図１４】実施例３の動作のフローチャートである。
【符号の説明】
【００９０】
３  回線状況識別部
４  音声記憶部
５  記憶部
６  メモリ管理部
７  制御部
８Ａ  送信部
８Ｂ  送信部
９Ａ  受信部
９Ｂ  受信部
１０Ａ  制御部
１０Ｂ  制御部
１１  交換機
Ａ  発呼側電話機
Ｂ  着呼側電話機
Ａ１  送受信部
Ｂ１  送受信部
７−０  通信切断認識手段
７−１  最先復旧要求呼認識手段
７−２  待機要求メッセージ送信手段
７−３  元着呼側回線接続判断手段
７−４  元着呼側回線接続手段
７−５  回線復旧状態確立手段
【図１】
2005136735.tif 000003
【図２】
2005136735.tif 000004
【図３】
2005136735.tif 000005
【図４】
2005136735.tif 000006
【図５】
2005136735.tif 000007
【図６】
2005136735.tif 000008
【図７】
2005136735.tif 000009
【図８】
2005136735.tif 000010
【図９】
2005136735.tif 000011
【図１０】
2005136735.tif 000012
【図１１】
2005136735.tif 000013
【図１２】
2005136735.tif 000014
【図１３】
2005136735.tif 000015
【図１４】
2005136735.tif 000016